(57)【要約】      （修正有）【課題】圧力調整可能なラジエーターキャップを提供する。【解決手段】ラジエーターキャップ１０の真中に圧力調整装置に螺合するようにねじ穴セット１３が設置され、圧力調整装置の下に蓋セットが接続される。圧力調整装置はボタン２０、調整ボルト３０、スプリングリテーナー５０及び押しバネ４０により構成され、蓋セットはパッド３２、ホルダー、位置決めばね１００、ソケット６０及び圧縮ばね３３により構成される。圧力調整装置は圧縮ばね３３を含む調整ボルト３０下端の台座３５セット、及びその下端の嵌合部とソケット６０と嵌合連結することにより蓋セットとの連結関係が取れる。ボタン２０により調整ボルト３０が回転し、調整ボルト３０とラジエーターキャップ１０の螺合状態が変えられる。【選択図】図２
0003219008.tif 000002
【実用新案登録請求の範囲】
【請求項１】
真中に圧力調整装置が螺合された圧力調整可能なラジエーターキャップであって、
前記圧力調整装置の下方に蓋セットが接続され、
前記圧力調整装置はボタン、調整ボルト、押しバネ及びスプリングリテーナーを含み、
前記蓋セットはゴムパッド、カップ型蓋、位置決めばね及びソケットを含み、
前記圧力調整装置は圧縮ばねを含む調整ボルトの下端の台座セット、及び台座下端の嵌合部と前記ソケットと嵌合連結することにより前記蓋セットとの連結関係が取れて、
前記ボタンにより前記調整ボルトが回転し、前記調整ボルトと前記ラジエーターキャップの螺合状態が変えられ、
特に前記調整ボルトの下端の台座が前記圧縮ばねに対して異なる程度の押圧を形成するようにされ、
さらに前記圧縮ばねにより前記スプリングリテーナー及びパッドに対する押圧力が変わるようにされ、
それにより前記蓋セットのラジエーターの注水口に対する閉塞圧力が調整されることを特徴とする、ラジエーターキャップ。
【請求項２】
真中に嵌めこまれることにより、リベット接合されたねじ穴セットのねじ穴は前記圧力調整装置の前記調整ボルトと螺合して組み立てられることを特徴とする、請求項１に記載のラジエーターキャップ。
【請求項３】
前記圧力調整装置の前記調整ボルトは前記ラジエーターキャップ内部から螺合され、またゴムワッシャー、前記パッド及び前記圧縮ばねを経由した後に、また前記ボタンに螺合されまたリベット接合され、前記ボタンと前記調整ボルトとの連動関係が取れることを特徴とする、請求項１に記載のラジエーターキャップ。
【請求項４】
上面には圧力及び方向を調整する関連文字及び数字の標識が設置されたラジエーターキャップであって、
前記圧力調整装置の前記ボタンの上面には浅い溝が設置され、それにより表示プレートが被覆されるように設置され、前記表示プレートにより前記ラジエーターキャップの文字及び数字の標識に合わせてその圧力の調整状態と照合され、またそれが識別されることを特徴とする、請求項１に記載のラジエーターキャップ。
【請求項５】
前記圧力調整装置の前記ボタンの周縁には操作感覚を強化するエンボス模様が施されていることを特徴とする、請求項１に記載のラジエーターキャップ。
【考案の詳細な説明】
【技術分野】
【０００１】
本考案は、圧力調整可能なラジエーターキャップに関する。特に、ラジエーターの注水口に対する閉塞緊密性と圧力を調整することができるラジエーターキャップに関する。
【背景技術】
【０００２】
従来の一般車両のラジエーターキャップは、構造設計において、通常ラジエーターキャップ本体及び補助逆止弁付き緩衝装置を含んでいる。
当該ラジエーターキャップ本体と補助逆止弁付き緩衝装置は、リベット接合方法で一体となるように接合され、またラジエーターキャップ本体の内部に逆止弁付き緩衝装置が設置されている。また、逆止弁付き緩衝装置及び補助緩衝装置に弾性力を押圧するように、それぞればねが設置される。
それにより、二重の緩衝効果を持つ比較的良い逆止弁効果を有し、これにより冷却水が密閉され、内部の温度が高すぎるまたは圧力が大きすぎることにより、水蒸気が噴出するまたは沸騰水が飛び上がる現象を防ぐことができる。
【０００３】
ただし、ラジエーターキャップが長くラジエーター内部の圧力の影響を受け、その状態で一定時間にわたって使用された後では、ラジエーターキャップ本体の内部において逆止弁付き緩衝装置及び補助逆止弁付き緩衝装置のばねの弾性力が低下しやすく、それにより気密性が低下するという問題が発生する。
しかし、既存のラジエーターキャップ本体と補助逆止弁付き緩衝装置は取り外せないリベット接合式で固定する方法が採用されているため、ラジエーターキャップの内部におけるばねの弾性力が低下して弾性力の圧力が足りなくなる事態が生じる場合は、ラジエーターキャップ全体を取り替えなければならない。それにより余計なコストが発生し、ひいては環境保全上の問題を生じる。
【０００４】
また、前記ラジエーターキャップのばねなどの緩衝部材において弾性力が低下する上述の問題以外にも、従来のラジエーターキャップには以下の問題がある。
（１）各メーカーのラジエーターの注水口の規格と寸法には公差がある。それにより、ラジエーターキャップは閉める時に緊密性が低い。また、水漏れの問題がよく発生する。
（２）一般車両の場合、エンジンの運転効率を向上させるため、増圧効果を生み出すためにラジエーターキャップの圧力値を高めるということがよく行われるが、ラジエーターキャップの圧力値は一定に設計されるため、異なる圧力規格のラジエーターキャップを調整して対応する必要があり、それが知らないうちにコストの増加をもたらす。
したがって、これらの問題を改善する必要がある。
【考案の概要】
【考案が解決しようとする課題】
【０００５】
既存のラジエーターキャップの場合は、固定式の構造設計が用いられることにより、ばねまたはパッドの弾性力の低下、及びエンジンの運転効率を向上させるために増圧する必要があること、という２つの問題に対応することが難しいため、適切に調整することができない。
それにより、ラジエーターキャップを取り替えることによるコストの増加と、環境保全上の問題が発生する。
以上に鑑み、これらの問題を解決するため、考案者は鋭意研究開発・設計を行った結果、本考案の圧力調整可能なラジエーターキャップの考案に至った。
【０００６】
ラジエーターキャップに圧力調整可能という機能を付与するため、本考案は以下の構成を有する。
主にラジエーターキャップの真中に圧力調整装置に螺合するようにねじ穴セットが設置され、当該圧力調整装置の下に蓋セットが接続される。
当該圧力調整装置はボタン、調整ボルト、押しバネ及びスプリングリテーナーにより構成され、当該蓋セットはゴムパッド、カップ型蓋、位置決めばね、ソケットにより構成される。
当該圧力調整装置は、圧縮ばねを含む調整ボルトの下端の台座セット、及びその下端の嵌合部とソケットと嵌合連結することにより蓋セットとの連結関係が取れる。
当該ボタンにより台座、調整ボルトが回転し、調整ボルトとラジエーターキャップの螺合状態が変えられる。
特に調整ボルトの下端の台座が圧縮ばねに対して異なる程度の押圧を形成するようにされる。
さらに圧縮ばねによりスプリングリテーナー及びパッドに対する押圧力が変わるようにされる。
それにより蓋セットのラジエーターの注水口に対する閉塞圧力が調整される。
【０００７】
本考案の圧力調整可能なラジエーターキャップは、ばねまたはパッドの弾性力が低下またはラジエーターキャップの圧力値の調整が必要な場合には、ラジエーターキャップを取り外さずに、圧力調整装置のボタンにより簡単に調整ボルトの調整動作を行うことができる。これにより圧縮ばねのスプリングリテーナー及びパッドに対する押圧力の調整が可能となり、予期的な圧力調整機能を達成できる。
また、使用上の安全性を確保でき、同時に、従来の構造により発生したコスト及び環境保全上の問題を解決することができる。
【図面の簡単な説明】
【０００８】
【図１】本考案の好適な実施例の外観の斜視図である。
【図２】本考案の好適な実施例の分解の斜視図である。
【図３】本考案の好適な実施例の構造の断面図である。
【図４】本考案の好適な実施例の局所構造の斜視図である。
【図５】本考案の好適な実施例の局所構造の断面図である。
【図６】本考案の好適な実施例の動作の断面図である。
【図７】本考案の好適な実施例の調整作業の上面図である。
【図８】本考案の好適な実施例の正常状態時の構造の断面図である。
【図９】本考案の好適な実施例の調圧状態時の構造の断面図である。
【考案を実施するための形態】
【０００９】
本考案の構造と組成、技術手段及び効果達成の面について、図面に照らして例を挙げ、具体的に下記のように説明する。
【００１０】
図１〜９を参照しながら、本考案の好適な実施形態を説明する。
図に示すように、本考案の圧力調整可能なラジエーターキャップは、その構造設計において、主に下記のものを含む。
【００１１】
ラジエーターキャップ（１０）であって、その上面には浅い溝（１１）が設置されており、浅い溝（１１）の真中に穿孔（１２）が設置されており、それによりねじ穴セット（１３）を嵌めこむようにリベット接合が行なわれている。
当該ねじ穴セット（１３）の真中にはねじ穴（１４）が設置され、またねじ穴セット（１３）にリベット接合が行なわれ、それによりパッド（１５）、ゴムパッド（１６）及び位置限定パッド（１７）が設置され、組み立てられた逆止弁付き緩衝装置はラジエーターキャップ（１０）の内側縁に接合するように固着されている。
ラジエーターキャップ（１０）の上面には別途調整圧力及び方向関連の文字及び数字が標識として設置されている。
【００１２】
圧力調整装置であって、主にボタン（２０）、調整ボルト（３０）、押しバネ（４０）及びスプリングリテーナー（５０）により構成されている。
当該ボタン（２０）の周縁にはエンボス模様（２１）が施され、それにより操作の感覚を強化することができる。
当該ボタン（２０）の上面には浅い溝（２１）が製造・設置されている。
またボタン（２０）を覆うように表示プレート（２３）が設けられ、前記ラジエーターキャップ（１０）の文字及び数字の標識と照合しやすいようにされている。
当該浅い溝（２１）真中にはねじ穴（２２）が設置されており、それにより当該調整ボルト（３０）はラジエーターキャップ（１０）の内部の前記ねじ穴セット（１３）のねじ穴（１４）からゴムワッシャー（３１）、パッド（３２）及び圧縮ばね（３３）を経由して螺合された後、ボタン（２０）のねじ穴（２４）に螺合しかつそれにリベット接合されるように固定され、ボタン（２０）と調整ボルト（３０）の連動関係が取れる。
当該調整ボルト（３０）の基部には別途逆止弁リング（３４）が設置され、調整ボルト（３０）の下部には台座（３５）及びリベット接合部（３６）が形成され、それにより当該リベット接合部（３６）は後述する蓋セットのソケット（６０）とリベット接合し一体となるようにされる。
また当該ソケット（６０）の外部には当該押しバネ（４０）が設置され、それと同時にスプリングリテーナー（５０）がソケット（６０）下部と結合されるように組み立てられる。
【００１３】
蓋セットであって、ソケット（６０）、カップ型蓋（７０）、ゴムパッド（８０）、ホルダー（９０）、位置決めばね（１００）、スリーブ型ボルト（１１０）及び位置決めシート（１２０）により構成される。
当該ソケット（６０）は前記スプリングリテーナー（５０）を通過した後に当該調整ボルト（３０）下端のリベット接合部（３６）にリベット接合される。
当該カップ型蓋（７０）は前記スプリングリテーナー（５０）の外部を被覆しかつ関連の位置決めが行なわれてから、ホルダー（９０）を通して位置決めばね（１００）、カップ型蓋（７０）及びゴムパッド（８０）、スリーブ型ボルト（１１０）及び位置決めシート（１２０）を通過した後にリベット接合されることにより出来上がったものである。
【００１４】
前記の構造と組成により出来上がった本考案の圧力調整可能なラジエーターキャップは、以下の機能を備える。
ラジエーターキャップ（１０）がラジエーターの注水口（１）を被覆するように設置される時、押しバネ（４０）がスプリングリテーナー（５０）及びカップ型蓋（７０）とゴムパッド（８０）を押圧することにより、ゴムパッド（８０）はラジエーターの注水口（１）に密着してそれを緊密に支持し、予期的な密着機能を達成できる。その場合、当該押しバネ（４０）の弾性力・押圧力は、ラジエーターキャップの規格により所定値の設定が行なわれる。
ラジエーターキャップを一定時間にわたって使用した後に、ゴムパッド（８０）または押しバネ（４０）に弾性力低下の現象があることが分かった場合、またはスピード競争の目的のためにラジエーターの加圧によりエンジンの運転効率を引き上げる必要があることに対応する場合、当該ボタン（２０）により当該調整ボルト（３０）を回転させ、それにより調整ボルト（３０）とラジエーターキャップ（１０）の螺合状態を変える。特に調整ボルト（３０）下端の台座（３５）が押しバネ（４０）に対して異なる程度の押圧を形成し、さらに押しバネ（４０）によりスプリングリテーナー（５０）、カップ型蓋（７０）及びゴムパッド（８０）に対する押圧力を変えるようにさせ、蓋セットのラジエーターの注水口（１）に対する閉塞圧力の調整を達成する。それにより、押しバネ（４０）及びゴムパッド（８０）における、弾性力低下または規格公差により生じる緊密性の欠如及び水漏れなどの欠陥を解決できる。また同時に、ラジエーターの加圧によりエンジンの運転効率を引き上げる必要がある場合にも対応できる。
以上により、従来の固定式ラジエーターキャップ構造により生じる問題と欠陥を解決できる。
【００１５】
すなわち、本考案の圧力調整可能なラジエーターキャップは、その構造上の構成・設計により、ラジエーターキャップにおいて内部の押しバネ及びゴムパッドの弾性力低下または規格公差により生じる緊密性の欠如及び水漏れなどの欠陥に対応する場合には、ラジエーターキャップの上のボタンによりラジエーターキャップとの螺合状態を変えるように調整ボルトを回転させ、さらに押しバネのスプリングリテーナー、カップ型蓋及びゴムパッドに対する押圧力を直接調整することにより、ラジエーターキャップのラジエーターの注水口に対する密着効能を確保する。
さらにスピード競争のためにラジエーターを加圧することによりエンジンの運転効率を引き上げる必要があることに対応する場合には、既存のラジエーターキャップの機能と仕組みのもとでも、ボタンにより調整ボルトの螺合状態を調整し、押しバネのラジエーターキャップの蓋セットに対する圧力設定の調整を達成し、またラジエーターの加圧によりエンジンの運転効率を引き上げる機能を達成する。
このようにすれば、使用者にとって負担となる異なる規格のラジエーターキャップの購入費用とコストを軽減させることができ、もっと好適な産業経済効果と実用性が付与される。
【００１６】
以上、本考案は、全体的に好ましい産業上の利用可能性と実用価値を有し、実に優れた、卓越した革新的設計であるから、ここに実用新案登録出願する。
【符号の説明】
【００１７】
（１）ラジエーターの注水口  （１０）ラジエーターキャップ
（１１）浅い溝              （１２）穿孔
（１３）ねじ穴セット        （１４）ねじ穴
（１５）パッド              （１６）ゴムパッド
（１７）位置限定パッド      （２０）ボタン
（２１）エンボス模様        （２２）浅い溝
（２３）表示プレート        （２４）ねじ穴
（３０）調整ボルト          （３１）ゴムワッシャー
（３２）パッド              （３３）圧縮ばね
（３４）逆止弁リング        （３５）台座
（４０）押しバネ            （５０）スプリングリテーナー
（６０）ソケット            （７０）カップ型蓋
（８０）ゴムパッド          （９０）位置決め部品
（１００）位置決めばね      （１１０）スリーブ型ボルト
（１２０）位置決めシート
【図１】
0003219008.tif 000003
【図２】
0003219008.tif 000004
【図３】
0003219008.tif 000005
【図４】
0003219008.tif 000006
【図５】
0003219008.tif 000007
【図６】
0003219008.tif 000008
【図７】
0003219008.tif 000009
【図８】
0003219008.tif 000010
【図９】
0003219008.tif 000011